(57)【要約】【課題】感染症の拡大を効率的に抑制することができる情報処理装置、情報処理方法、情報処理プログラム、表示制御装置、表示制御方法、及び表示制御プログラムを得る。【解決手段】情報処理装置１２は、検査対象の動物に対する検査結果を取得する取得部６０と、検査対象の動物のオーナーが複数の動物を飼育しているか否かを判定する判定部６２と、検査結果が、検査対象の動物が感染症に感染していることを表し、かつオーナーが複数の動物を飼育していると判定された場合、オーナーに、検査対象の動物が感染症に感染していることを表す情報を通知する通知部６４と、を備える。【選択図】図７
2020135333.tif 000002
【特許請求の範囲】
【請求項１】
検査対象の動物に対する検査結果を取得する取得部と、
前記検査対象の動物のオーナーが複数の動物を飼育しているか否かを判定する判定部と、
前記検査結果が、前記検査対象の動物が感染症に感染していることを表し、かつ前記オーナーが複数の動物を飼育していると判定された場合、前記オーナーに、前記検査対象の動物が感染症に感染していることを表す情報を通知する通知部と、
を備えた情報処理装置。
【請求項２】
前記判定部は、前記感染症が、前記オーナーが飼育している前記複数の動物のうちの前記検査対象の動物以外の動物に感染する可能性があるか否かを更に判定し、
前記通知部は、前記感染症が、前記オーナーが飼育している前記複数の動物のうちの前記検査対象の動物以外の動物に感染する可能性があるか否かを表す情報を更に通知する
請求項１に記載の情報処理装置。
【請求項３】
前記判定部は、前記感染症が人に感染する可能性があるか否かを更に判定し、
前記通知部は、前記感染症が人に感染する可能性があるか否かを表す情報を更に通知する
請求項１又は請求項２に記載の情報処理装置。
【請求項４】
情報処理装置から通知された、動物が感染症に感染していることを表す情報を受信する受信部と、
前記受信部により受信された情報に基づいて、複数の動物のうちの何れの動物が感染症に感染しているかを判別可能な状態で、前記複数の動物の画像を表示する制御を行う表示制御部と、
を備えた表示制御装置。
【請求項５】
検査対象の動物に対する検査結果を取得し、
前記検査対象の動物のオーナーが複数の動物を飼育しているか否かを判定し、
前記検査結果が、前記検査対象の動物が感染症に感染していることを表し、かつ前記オーナーが複数の動物を飼育していると判定した場合、前記オーナーに、前記検査対象の動物が感染症に感染していることを表す情報を通知する
処理をコンピュータが実行する情報処理方法。
【請求項６】
検査対象の動物に対する検査結果を取得し、
前記検査対象の動物のオーナーが複数の動物を飼育しているか否かを判定し、
前記検査結果が、前記検査対象の動物が感染症に感染していることを表し、かつ前記オーナーが複数の動物を飼育していると判定した場合、前記オーナーに、前記検査対象の動物が感染症に感染していることを表す情報を通知する
処理をコンピュータに実行させるための情報処理プログラム。
【請求項７】
情報処理装置から通知された、動物が感染症に感染していることを表す情報を受信し、
受信した情報に基づいて、複数の動物のうちの何れの動物が感染症に感染しているかを判別可能に、前記複数の動物の画像を表示する制御を行う
処理をコンピュータが実行する表示制御方法。
【請求項８】
情報処理装置から通知された、動物が感染症に感染していることを表す情報を受信し、
受信した情報に基づいて、複数の動物のうちの何れの動物が感染症に感染しているかを判別可能に、前記複数の動物の画像を表示する制御を行う
処理をコンピュータに実行させるための表示制御プログラム。
【発明の詳細な説明】
【技術分野】
【０００１】
本開示は、情報処理装置、情報処理方法、情報処理プログラム、表示制御装置、表示制御方法、及び表示制御プログラムに関する。
【背景技術】
【０００２】
ウイルスに感染したことが疑われる旨をシステムへの参加者に通知する感染監視システムが開示されている（特許文献１参照）。この感染監視システムは、ウイルスの感染者がウイルスに感染したと推定される日時である感染推定日時を病院から取得する。そして、この感染監視システムは、感染推定日時以降に感染者から所定の距離以内に接近した参加者に対して上記の通知を行う。
【先行技術文献】
【特許文献】
【０００３】
【特許文献１】特開２０１１−２４８８０２号公報
【発明の概要】
【発明が解決しようとする課題】
【０００４】
ところで、複数の動物を飼育しているオーナーが存在する。例えば、オーナーが飼育している複数の動物のうちの一部の動物が感染症に感染した場合、同じ家屋内等の比較的狭い範囲内で生活している他の動物にも感染症が感染する可能性は比較的高い。この場合、一部の動物が感染症に感染したことをオーナーに通知することができると、感染症の拡大を抑制するうえで好ましい。
【０００５】
しかしながら、特許文献１に記載の技術では、ウイルスに感染したことが疑われる旨をシステムの参加者に通知するためには、感染者及び感染者以外のシステムの参加者の位置情報等を用いた煩雑な処理を行う必要がある。従って、感染症の拡大を効率的に抑制することはできない。
【０００６】
本開示は、以上の事情を鑑みてなされたものであり、感染症の拡大を効率的に抑制することができる情報処理装置、情報処理方法、情報処理プログラム、表示制御装置、表示制御方法、及び表示制御プログラムを提供することを目的とする。
【課題を解決するための手段】
【０００７】
上記目的を達成するために、本開示の情報処理装置は、検査対象の動物に対する検査結果を取得する取得部と、検査対象の動物のオーナーが複数の動物を飼育しているか否かを判定する判定部と、検査結果が、検査対象の動物が感染症に感染していることを表し、かつオーナーが複数の動物を飼育していると判定された場合、オーナーに、検査対象の動物が感染症に感染していることを表す情報を通知する通知部と、を備える。
【０００８】
なお、本開示の情報処理装置は、判定部が、感染症が、オーナーが飼育している複数の動物のうちの検査対象の動物以外の動物に感染する可能性があるか否かを更に判定し、通知部は、感染症が、オーナーが飼育している複数の動物のうちの検査対象の動物以外の動物に感染する可能性があるか否かを表す情報を更に通知してもよい。
【０００９】
また、本開示の情報処理装置は、判定部が、感染症が人に感染する可能性があるか否かを更に判定し、通知部が、感染症が人に感染する可能性があるか否かを表す情報を更に通知してもよい。
【００１０】
また、本開示の表示制御装置は、情報処理装置から通知された、動物が感染症に感染していることを表す情報を受信する受信部と、受信部により受信された情報に基づいて、複数の動物のうちの何れの動物が感染症に感染しているかを判別可能な状態で、複数の動物の画像を表示する制御を行う表示制御部と、を備える。
【００１１】
また、本開示の情報処理方法は、検査対象の動物に対する検査結果を取得し、検査対象の動物のオーナーが複数の動物を飼育しているか否かを判定し、検査結果が、検査対象の動物が感染症に感染していることを表し、かつオーナーが複数の動物を飼育していると判定した場合、オーナーに、検査対象の動物が感染症に感染していることを表す情報を通知する処理をコンピュータが実行するものである。
【００１２】
また、本開示の情報処理プログラムは、検査対象の動物に対する検査結果を取得し、検査対象の動物のオーナーが複数の動物を飼育しているか否かを判定し、検査結果が、検査対象の動物が感染症に感染していることを表し、かつオーナーが複数の動物を飼育していると判定した場合、オーナーに、検査対象の動物が感染症に感染していることを表す情報を通知する処理をコンピュータに実行させるためのものである。
【００１３】
また、本開示の表示制御方法は、情報処理装置から通知された、動物が感染症に感染していることを表す情報を受信し、受信した情報に基づいて、複数の動物のうちの何れの動物が感染症に感染しているかを判別可能に、複数の動物の画像を表示する制御を行う処理をコンピュータが実行するものである。
【００１４】
また、本開示の表示制御プログラムは、情報処理装置から通知された、動物が感染症に感染していることを表す情報を受信し、受信した情報に基づいて、複数の動物のうちの何れの動物が感染症に感染しているかを判別可能に、複数の動物の画像を表示する制御を行う処理をコンピュータに実行させるためのものである。
【００１５】
また、本開示の情報処理装置は、コンピュータに実行させるための命令を記憶するメモリと、記憶された命令を実行するよう構成されたプロセッサと、を備え、プロセッサは、検査対象の動物に対する検査結果を取得し、検査対象の動物のオーナーが複数の動物を飼育しているか否かを判定し、検査結果が、検査対象の動物が感染症に感染していることを表し、かつオーナーが複数の動物を飼育していると判定した場合、オーナーに、検査対象の動物が感染症に感染していることを表す情報を通知する。
【００１６】
また、本開示の表示制御装置は、コンピュータに実行させるための命令を記憶するメモリと、記憶された命令を実行するよう構成されたプロセッサと、を備え、プロセッサは、情報処理装置から通知された、動物が感染症に感染していることを表す情報を受信し、受信した情報に基づいて、複数の動物のうちの何れの動物が感染症に感染しているかを判別可能に、複数の動物の画像を表示する制御を行う。
【発明の効果】
【００１７】
本開示によれば、感染症の拡大を効率的に抑制することができる。
【図面の簡単な説明】
【００１８】
【図１】実施形態に係る情報処理システムの構成の一例を示すブロック図である。
【図２】実施形態に係る情報処理装置のハードウェア構成の一例を示すブロック図である。
【図３】実施形態に係る動物管理テーブルの一例を示す図である。
【図４】実施形態に係る感染症テーブルの一例を示す図である。
【図５】実施形態に係る端末装置のハードウェア構成の一例を示すブロック図である。
【図６】実施形態に係る動物情報テーブルの一例を示す図である。
【図７】実施形態に係る情報処理装置の機能的な構成の一例を示すブロック図である。
【図８】実施形態に係る端末装置の機能的な構成の一例を示すブロック図である。
【図９】実施形態に係る通知処理の一例を示すフローチャートである。
【図１０】実施形態に係る表示制御処理の一例を示すフローチャートである。
【図１１】実施形態に係る表示画面の一例を示す図である。
【図１２】実施形態に係る表示画面の一例を示す図である。
【発明を実施するための形態】
【００１９】
以下、図面を参照して、本開示の技術を実施するための形態例を詳細に説明する。
【００２０】
まず、図１を参照して、本実施形態に係る情報処理システム１０の構成を説明する。図１に示すように、情報処理システム１０は、情報処理装置１２及び複数の端末装置１４を含む。情報処理装置１２及び複数の端末装置１４は、それぞれネットワークＮに接続され、ネットワークＮを介して互いに通信が可能とされる。
【００２１】
情報処理装置１２は、例えば動物病院に設置される。情報処理装置１２の例としては、サーバコンピュータ等が挙げられる。なお、情報処理装置１２は、クラウドサーバであってもよい。端末装置１４は、例えば、ペット等の動物のオーナーによって所持される。端末装置１４の例としては、スマートフォン及びタブレットコンピュータ等が挙げられる。端末装置１４が開示の技術に係る表示制御装置の一例である。なお、本明細書における「動物」とは、犬及び猫等の「人」を除く動物を意味する。
【００２２】
次に、図２を参照して、本実施形態に係る情報処理装置１２のハードウェア構成を説明する。図２に示すように、情報処理装置１２は、ＣＰＵ（Central Processing Unit）２０、一時記憶領域としてのメモリ２１、及び不揮発性の記憶部２２を含む。また、情報処理装置１２は、液晶ディスプレイ等の表示部２３、キーボードとマウス等の入力部２４、及びネットワークＮに接続されるネットワークＩ／Ｆ（InterFace）２５を含む。ＣＰＵ２０、メモリ２１、記憶部２２、表示部２３、入力部２４、及びネットワークＩ／Ｆ２５は、バス２６に接続される。
【００２３】
記憶部２２は、ＨＤＤ（Hard Disk Drive）、ＳＳＤ（Solid State Drive）、及びフラッシュメモリ等によって実現される。記憶媒体としての記憶部２２には、情報処理プログラム３０が記憶される。ＣＰＵ２０は、記憶部２２から情報処理プログラム３０を読み出してからメモリ２１に展開し、展開した情報処理プログラム３０を実行する。また、記憶部２２には、動物管理テーブル３２及び感染症テーブル３４が記憶される。
【００２４】
図３に、動物管理テーブル３２の一例を示す。動物管理テーブル３２は、動物のオーナーと、オーナーに飼育されている動物とを管理するためのテーブルである。図３に示すように、動物管理テーブル３２には、動物のオーナーに関する情報（以下、「オーナー情報」という）と、動物に関する情報（以下、「動物情報」という）とが対応付けられて記憶される。
【００２５】
オーナー情報には、オーナーの識別情報の一例としてのＩＤ（IDentifier）、名前、及び連絡先等が含まれる。なお、本実施形態では、連絡先として、電子メールアドレスを適用した場合を説明するが、これに限定されない。連絡先として、メッセージングサービスのＩＤを適用してもよいし、ＳＮＳ（Social Networking Service）のアカウントのＩＤを適用してもよいし、電話番号を適用してもよい。
【００２６】
動物情報には、対応するオーナー情報が示すオーナーに飼育されている動物の識別情報の一例としてのＩＤ、名前、性別、年齢、種族、及び品種等が含まれる。また、１人のオーナーが複数の動物を飼育している場合は、１つのオーナー情報に、複数の動物情報が対応付けられる。
【００２７】
図４に、感染症テーブル３４の一例を示す。感染症テーブル３４は、感染症が感染する可能性のある対象を管理するためのテーブルである。図４に示すように、感染症テーブル３４には、感染症毎に、感染症に感染する可能性のある動物の種族が記憶される。また、動物だけではなく、人に感染する可能性のある感染症については、種族列に、動物の種族に加えて「人」も記憶される。
【００２８】
猫のみに感染する感染症の例としては、猫汎白血球減少症、猫白血病ウイルス感染症、猫免疫不全ウイルス感染症、猫伝染性腹膜炎、及び猫風邪等が挙げられる。犬のみに感染する感染症の例としては、犬のケンネルコフ、犬ジステンパーウイルス感染症、犬パルボウイルス感染症、及び犬アデノウイルス感染症等が挙げられる。犬及び猫の双方に感染し、かつ人にも感染する感染症の例としては、犬猫回虫幼虫移行症及び皮膚糸状菌症等が挙げられる。
【００２９】
次に、図５を参照して、本実施形態に係る端末装置１４のハードウェア構成を説明する。図５に示すように、端末装置１４は、ＣＰＵ４０、一時記憶領域としてのメモリ４１、及び不揮発性の記憶部４２を含む。また、端末装置１４は、液晶ディスプレイ等の表示部４３、タッチパネル等の入力部４４、及び無線通信によるネットワークＮへの接続を司るネットワークＩ／Ｆ４５を含む。ＣＰＵ４０、メモリ４１、記憶部４２、表示部４３、入力部４４、及びネットワークＩ／Ｆ４５は、バス４６に接続される。
【００３０】
記憶部４２は、フラッシュメモリ等によって実現される。記憶媒体としての記憶部４２には、表示制御プログラム５０が記憶される。ＣＰＵ４０は、記憶部４２から表示制御プログラム５０を読み出してからメモリ４１に展開し、展開した表示制御プログラム５０を実行する。また、記憶部４２には、動物情報テーブル５２が記憶される。
【００３１】
図６に、動物情報テーブル５２の一例を示す。動物情報テーブル５２は、端末装置１４を所持するオーナーが飼育している動物に関する情報が記憶されるテーブルである。図６に示すように、動物情報テーブル５２には、オーナーが飼育している動物について、動物管理テーブル３２の動物情報と同じ情報が記憶される。更に、動物情報テーブル５２には、動物の画像を示す画像データの格納パスも記憶される。
【００３２】
次に、図７を参照して、本実施形態に係る情報処理装置１２の機能的な構成について説明する。図７に示すように、情報処理装置１２は、取得部６０、判定部６２、及び通知部６４を含む。ＣＰＵ２０が情報処理プログラム３０を実行することで、取得部６０、判定部６２、及び通知部６４として機能する。
【００３３】
本実施形態に係る動物病院の獣医師は、例えば、検査対象の動物が感染症に感染していることが疑われる場合、動物から検体を採取し、採取した検体を外部の検査機関に送付することによって診断を依頼する。検査機関での検査が終了すると、検査機関から検査結果を表す情報が情報処理装置１２に送信され、情報処理装置１２は検査機関から送信された検査結果を表す情報を受信する。この検査結果を表す情報には、検査対象の動物のＩＤが含まれ、かつ動物が感染症に感染している場合は感染症の病名が含まれる。なお、検査結果を表す情報は、動物病院の獣医師によって、入力部２４を介して入力されてもよい。
【００３４】
取得部６０は、検査機関から送信された、検査対象の動物に対する検査結果を表す情報を取得する。判定部６２は、動物管理テーブル３２を参照し、検査対象の動物のオーナーが複数の動物を飼育しているか否かを判定する。
【００３５】
また、判定部６２は、取得部６０により取得された情報が表す検査結果が感染症に感染していることを表し、かつ検査対象の動物のオーナーが複数の動物を飼育している場合は、検査結果を表す情報から感染症の病名を抽出する。そして、判定部６２は、動物管理テーブル３２及び感染症テーブル３４を参照し、抽出した病名の感染症が、オーナーが飼育している複数の動物のうちの検査対象の動物以外の動物に感染する可能性があるか否かを判定する。なお、以下では、検査対象の動物を「第１の動物」といい、オーナーが飼育している複数の動物のうちの第１の動物以外の動物を「第２の動物」という。具体的には、判定部６２は、第２の動物の種族が、第１の動物が感染した感染症が感染する可能性のある動物の種族であるか否かを判定する。
【００３６】
更に、判定部６２は、感染症テーブル３４を参照し、第１の動物が感染した感染症が人に感染する可能性があるか否かを判定する。
【００３７】
通知部６４は、第１の動物に対する検査結果が、第１の動物が感染症に感染していることを表し、かつ第１の動物のオーナーが複数の動物を飼育していると判定された場合、動物管理テーブル３２を参照し、第１の動物のオーナーの連絡先を取得する。そして、通知部６４は、取得した連絡先に、第１の動物の動物ＩＤと第１の動物が感染している感染症の病名とを含む情報を送信することによって、オーナーに、第１の動物が感染症に感染していることを表す情報を通知する。
【００３８】
更に、通知部６４は、取得した連絡先に、判定部６２による判定結果である第１の動物が感染した感染症が第２の動物に感染する可能性があるか否かを表す情報を送信することによってオーナーに通知する。また、通知部６４は、取得した連絡先に、判定部６２による判定結果である第１の動物が感染した感染症が人に感染する可能性があるか否かを表す情報を送信することによってオーナーに通知する。
【００３９】
なお、本実施形態では、通知部６４により通知される情報として、テキストデータを適用した場合について説明するが、これに限定されない。通知部６４により通知される情報として、音声データを適用してもよいし、テキストデータ及び音声データの双方を適用してもよい。
【００４０】
次に、図８を参照して、本実施形態に係る端末装置１４の機能的な構成について説明する。図８に示すように、端末装置１４は、受信部７０及び表示制御部７２を含む。ＣＰＵ４０が表示制御プログラム５０を実行することで、受信部７０及び表示制御部７２として機能する。
【００４１】
受信部７０は、情報処理装置１２から通知された、第１の動物が感染症に感染していることを表す情報を受信する。また、受信部７０は、情報処理装置１２から通知された、感染症が第２の動物に感染する可能性があるか否かを表す情報を受信する。また、受信部７０は、情報処理装置１２から通知された、感染症が人に感染する可能性があるか否かを表す情報を受信する。
【００４２】
表示制御部７２は、受信部７０により受信された情報に基づいて、複数の動物のうちの何れの動物が感染症に感染しているかを判別可能な状態で、複数の動物の画像を表示する制御を行う。
【００４３】
本実施形態では、表示制御部７２は、動物情報テーブル５２を参照し、動物情報テーブル５２に記憶されている全ての動物のうちの何れの動物が感染症に感染しているかを判別可能な状態で、全ての動物の画像を表示部４３に並べて表示する制御を行う。また、表示制御部７２は、第１の動物が感染した感染症が第２の動物に感染する可能性があるか否かを表す情報も表示部４３に表示する制御を行う。更に、表示制御部７２は、感染症が人に感染する可能性があるか否かを表す情報も表示部４３に表示する制御を行う。
【００４４】
次に、図９を参照して、本実施形態に係る情報処理装置１２の作用を説明する。ＣＰＵ２０が情報処理プログラム３０を実行することによって、図９に示す通知処理が実行される。図９に示す通知処理は、例えば、検査機関から送信された検査結果を表す情報を情報処理装置１２が受信した場合に実行される。
【００４５】
図９のステップＳ１０で、取得部６０は、検査機関から送信された第１の動物に対する検査結果を表す情報を取得する。ステップＳ１２で、判定部６２は、ステップＳ１０の処理により取得された情報が表す検査結果が感染症に感染していることを表すか否かを判定する。この判定が肯定判定となった場合は、処理はステップＳ１４に移行する。ステップＳ１４で、判定部６２は、動物管理テーブル３２を参照し、第１の動物のオーナーが複数の動物を飼育しているか否かを判定する。この判定が肯定判定となった場合は、処理はステップＳ１６に移行する。
【００４６】
ステップＳ１６で、判定部６２は、ステップＳ１０の処理により取得された情報から、第１の動物のＩＤ及び感染症の病名を抽出する。ステップＳ１８で、通知部６４は、動物管理テーブル３２を参照し、第１の動物のオーナーの連絡先を取得する。そして、通知部６４は、前述したように、取得した連絡先に、第１の動物が感染症に感染していることを表す情報を通知する。
【００４７】
ステップＳ２０で、判定部６２は、動物管理テーブル３２及び感染症テーブル３４を参照し、ステップＳ１６の処理により抽出された病名の感染症が、オーナーが飼育している複数の動物のうちの第２の動物に感染する可能性があるか否かを判定する。ステップＳ２２で、通知部６４は、ステップＳ１８の処理により取得された連絡先に、ステップＳ２０の処理による判定結果である第１の動物が感染した感染症が第２の動物に感染する可能性があるか否かを表す情報を送信することによってオーナーに通知する。
【００４８】
ステップＳ２４で、判定部６２は、感染症テーブル３４を参照し、第１の動物が感染した感染症が人に感染する可能性があるか否かを判定する。ステップＳ２６で、通知部６４は、ステップＳ１８の処理により取得された連絡先に、ステップＳ２４の処理による判定結果である第１の動物が感染した感染症が人に感染する可能性があるか否かを表す情報を送信することによってオーナーに通知する。ステップＳ２６の処理が終了すると、本通知処理が終了する。一方、ステップＳ１２の判定が否定判定となった場合も本通知処理が終了する。また、ステップＳ１４の判定が否定判定となった場合も本通知処理が終了する。
【００４９】
次に、図１０を参照して、本実施形態に係る端末装置１４の作用を説明する。ＣＰＵ４０が表示制御プログラム５０を実行することによって、図１０に示す表示制御処理が実行される。図１０に示す表示制御処理は、例えば、情報処理装置１２から通知された第１の動物が感染症に感染していることを表す情報を端末装置１４が受信した場合に実行される。
【００５０】
図１０のステップＳ３０で、上記ステップＳ１８の処理により情報処理装置１２から通知された、第１の動物が感染症に感染していることを表す情報を受信する。また、受信部７０は、上記ステップＳ２２の処理により情報処理装置１２から通知された、感染症が第２の動物に感染する可能性があるか否かを表す情報を受信する。また、受信部７０は、上記ステップＳ２６の処理により情報処理装置１２から通知された、感染症が人に感染する可能性があるか否かを表す情報を受信する。
【００５１】
ステップＳ３２で、表示制御部７２は、動物情報テーブル５２を参照し、動物情報テーブル５２に記憶されている全ての動物のうちの何れの動物が感染症に感染しているかを判別可能な状態で、全ての動物の画像を表示部４３に並べて表示する制御を行う。また、表示制御部７２は、第１の動物が感染した感染症が第２の動物に感染する可能性があるか否かを表す情報も表示部４３に表示する制御を行う。更に、表示制御部７２は、感染症が人に感染する可能性があるか否かを表す情報も表示部４３に表示する制御を行う。ステップＳ３２の処理が終了すると、本表示制御処理が終了する。
【００５２】
ステップＳ３２の処理により、一例として図１１に示すように、オーナーが飼育している全ての動物の画像が表示部４３に縦に並べられて表示される。なお、図１１では、オーナーがペットＡ、Ｂ、Ｃの３頭のペットを飼育し、ペットＡ、Ｂの種族が犬であり、ペットＣの種族が猫である例を示している。また、図１１では、ペットＢが感染症に感染した第１の動物であり、ペットＡ、Ｃが、オーナーが飼育している全ての動物のうちの第１の動物以外の第２の動物である例を示している。また、図１１では、ペットＢが感染した感染症が犬のみに感染し、猫及び人には感染しない場合の例を示している。
【００５３】
図１１に示すように、本実施形態では、感染症に感染していることを表すメッセージがペットＢの画像に重畳されて表示されることによって、ペットＢが感染症に感染していることが判別可能となっている。また、図１１の例では、感染症が他の犬に感染することを注意するメッセージも表示されている。更に、図１１の例では、猫及び人には感染症が感染しないことを表すメッセージが表示されている。
【００５４】
また、図１１の例において感染症が猫及び人にも感染する場合の表示画面の一例を図１２に示す。この場合、図１２に示すように、図１１における猫及び人には感染症が感染しないことを表すメッセージに代えて、猫及び人にも感染症が感染することを表すメッセージと、注意を促すメッセージとが表示される。
【００５５】
以上説明したように、本実施形態によれば、検査結果が、検査対象の動物が感染症に感染していることを表し、かつオーナーが複数の動物を飼育していると判定された場合、オーナーに、検査対象の動物が感染症に感染していることを表す情報を通知する。従って、位置情報等を用いた煩雑な処理を行わずに上記通知ができる結果、感染症の拡大を効率的に抑制することができる。
【００５６】
また、本実施形態によれば、第１の動物が感染した感染症が第２の動物に感染する可能性があるか否かを表す情報を通知している。従って、オーナーが第２の動物に感染症が感染する可能性があるか否かを把握することができる。
【００５７】
また、本実施形態によれば、第１の動物が感染した感染症が人に感染する可能性があるか否かを表す情報を通知している。従って、オーナー自身が感染症に感染する可能性があるか否かを把握することができる。
【００５８】
なお、上記実施形態において、動物管理テーブル３２のオーナー情報に、オーナーの家族に関する情報を更に記憶してもよい。この場合、通知部６４は、図９に示す通知処理のステップＳ１８、Ｓ２２、及びＳ２６で行ったオーナーへの通知を、オーナーの家族にも行ってもよい。この場合、オーナーの家族が所持する端末装置１４の表示部４３にも図１１又は図１２に示す表示画面が表示される。この形態例では、オーナーが家に不在の場合でも、家にいる家族が他の動物への感染症の拡大を抑制する対処ができる。また、この場合における感染症の拡大を抑制する対処が完了した場合、対処した人が所持する端末装置１４が、対処が完了したことを表すメッセージを、家族が所持する端末装置１４に送信してもよい。
【００５９】
また、上記実施形態において、例えば、図１１又は図１２に示す表示画面において、オーナーが感染症に感染した第１の動物を指定する操作を行った場合に、動物病院の診療日時を予約する診療予約画面に遷移してもよい。
【００６０】
また、上記実施形態において、例えば、取得部６０、判定部６２、通知部６４、受信部７０、及び表示制御部７２といった各種の処理を実行する処理部（processing unit）のハードウェア的な構造としては、次に示す各種のプロセッサ（processor）を用いることができる。上記各種のプロセッサには、前述したように、ソフトウェア（プログラム）を実行して各種の処理部として機能する汎用的なプロセッサであるＣＰＵに加えて、ＦＰＧＡ等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【００６１】
１つの処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip：SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００６２】
更に、これらの各種のプロセッサのハードウェア的な構造としては、より具体的には、半導体素子などの回路素子を組み合わせた電気回路（circuitry）を用いることができる。
【００６３】
また、上記実施形態では、情報処理プログラム３０が記憶部２２に予め記憶（インストール）されている態様を説明したが、これに限定されない。情報処理プログラム３０は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、情報処理プログラム３０は、ネットワークを介して外部装置からダウンロードされる形態としてもよい。
【００６４】
また、上記実施形態では、表示制御プログラム５０が記憶部４２に予め記憶（インストール）されている態様を説明したが、これに限定されない。表示制御プログラム５０は、ＣＤ−ＲＯＭ、ＤＶＤ−ＲＯＭ、及びＵＳＢメモリ等の記録媒体に記録された形態で提供されてもよい。また、表示制御プログラム５０は、ネットワークを介して外部装置からダウンロードされる形態としてもよい。
【符号の説明】
【００６５】
１０  情報処理システム
１２  情報処理装置
１４  端末装置
２０、４０  ＣＰＵ
２１、４１  メモリ
２２、４２  記憶部
２３、４３  表示部
２４、４４  入力部
２５、４５  ネットワークＩ／Ｆ
２６、４６  バス
３０  情報処理プログラム
３２  動物管理テーブル
３４  感染症テーブル
５０  表示制御プログラム
５２  動物情報テーブル
６０  取得部
６２  判定部
６４  通知部
７０  受信部
７２  表示制御部
Ｎ  ネットワーク
【図１】
2020135333.tif 000003
【図２】
2020135333.tif 000004
【図３】
2020135333.tif 000005
【図４】
2020135333.tif 000006
【図５】
2020135333.tif 000007
【図６】
2020135333.tif 000008
【図７】
2020135333.tif 000009
【図８】
2020135333.tif 000010
【図９】
2020135333.tif 000011
【図１０】
2020135333.tif 000012
【図１１】
2020135333.tif 000013
【図１２】
2020135333.tif 000014